【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
外径ｏｄｓｅａｌｉｎｇ＿ｒｉｎｇを有するシールリングと併用されるように構成される締結具であって、前記締結具は、
最大直径ｄｈｅａｄを有するヘッドと、
前記ヘッド上のフランジであって、前記フランジは、前記締結具の半径方向に対して３０〜４５度に角度付けられる、フランジと、
ねじ山付きシャフトと、
前記ヘッドと前記ねじ山付きシャフトとの間に配置される凹面形シール表面であって、前記凹面形シール表面は、前記シールリングを受容し、前記シールリングが前記シール表面内に配置されると、前記シールリングの外径ｏｄｓｅａｌｉｎｇ＿ｒｉｎｇを実質的に前記直径ｄｈｅａｄに設置するために十分な量だけ、前記直径ｄｈｅａｄを下回る直径ｄｓｅａｌｉｎｇ＿ｓｕｒｆａｃｅを有するようにサイズ決めおよび成形される、凹面形シール表面と、
前記ヘッドと前記ねじ山付きシャフトとの間に配置され、前記ねじ山付きシャフトの直径より大きい直径を有する、ねじ山付かないセンタリングパイロットであって、前記センタリングパイロットは、ねじ山付き孔に対して一貫してセンタリングされた位置に前記締結具を誘導するようにサイズ決めおよび成形される、センタリングパイロットと、
前記センタリングパイロットと前記ねじ山付きシャフトとの間に配置される軸受表面であって、前記軸受表面は、前記締結具の軸方向に前記締結具が適用されている物体の表面に接触するように構成され、前記軸受表面は、前記シール表面の内部に配置される、軸受表面と
を備える、締結具。
【請求項２】
前記フランジは、前記締結具の縦方向に延在し、前記フランジの前記縦方向の長さは、前記締結具のヘッドの長さの少なくとも半分である、請求項１に記載の締結具。
【請求項３】
前記ヘッドは、ある直径を有する工具受容突出部を備え、前記フランジは、前記工具受容突出部の直径より大きい直径を有する、請求項１に記載の締結具。
【請求項４】
前記フランジの直径は、前記工具受容突出部の直径の少なくとも２倍である、請求項３に記載の締結具。
【請求項５】
前記ヘッドは、工具受容突出部を備え、前記工具受容突出部は、内部ソケットを欠いている、請求項１に記載の締結具。
【請求項６】
前記工具受容突出部は、前記ねじ山付きシャフトの直径に実質的に等しい直径を有する、請求項５に記載の締結具。
【請求項７】
請求項１に記載の締結具と、前記シールリングとを備えるアセンブリであって、前記シールリングは、前記締結具とは離散した要素である、アセンブリ。
【請求項８】
上端部から下端部まで縦方向に延在する締結具であって、前記締結具は、
前記締結具の上端部に配置されるヘッドであって、前記ヘッドは、最上端部において提供される工具受容突出部と、前記工具受容突出部の下方に配置されるフランジとを有し、前記フランジは、前記工具受容突出部の少なくとも２倍の大きさの直径を有し、前記フランジは、前記ヘッドの長さの少なくとも半分である前記縦方向の長さを有する、ヘッドと、
前記締結具の下端部に配置されるねじ山付きシャフトと、
前記ヘッドと前記ねじ山付きシャフトとの間に配置され、前記ねじ山付きシャフトの直径より大きい直径を有する、ねじ山付かないセンタリングパイロットであって、前記センタリングパイロットは、ねじ山付き孔に対して一貫してセンタリングされた位置に前記締結具を誘導するようにサイズ決めおよび成形される、センタリングパイロットと、
前記センタリングパイロットと前記ねじ山付きシャフトとの間に配置される軸受表面であって、前記軸受表面は、前記締結具の前記縦方向に前記締結具が適用されている物体の表面に接触するように構成される、軸受表面と
を備える、締結具。
【請求項９】
前記フランジは、前記締結具の半径方向に対して３０〜４５度に角度付けられる、請求項８に記載の締結具。
【請求項１０】
前記工具受容突出部は、内部ソケットを欠いている、請求項８に記載の締結具。
【請求項１１】
前記工具受容突出部は、前記ねじ山付きシャフトの直径に実質的に等しい直径を有する、請求項８に記載の締結具。
【請求項１２】
上端部から下端部まで縦方向に延在する締結具であって、前記締結具は、
前記締結具の上端部に配置されるヘッドであって、前記ヘッドは、最上端部において提供される工具受容突出部と、前記工具受容突出部の下方に配置されるフランジとを有し、前記フランジは、前記工具受容突出部の少なくとも２倍の大きさの直径を有する、ヘッドと、
前記締結具の下端部に配置されるねじ山付きシャフトと、
前記ヘッドと前記ねじ山付きシャフトとの間に配置され、前記ねじ山付きシャフトの直径より大きい直径を有する、ねじ山付かないセンタリングパイロットであって、前記センタリングパイロットは、ねじ山付き孔に対して一貫してセンタリングされた位置に前記締結具を誘導するようにサイズ決めおよび成形される、センタリングパイロットと、
前記センタリングパイロットと前記ねじ山付きシャフトとの間に配置される軸受表面であって、前記軸受表面は、前記締結具の前記縦方向に前記締結具が適用されている物体の表面に接触するように構成される、軸受表面と、
前記フランジと前記ねじ山付きシャフトとの間に配置される凹面形シール表面と
を備える、締結具。
【請求項１３】
前記凹面形シール表面は、シールリングを受容し、かつ前記シールリングが前記シール表面内に配置されると、前記シールリングの外径ｏｄｓｅａｌｉｎｇ＿ｒｉｎｇを実質的に直径ｄｈｅａｄに設置するために十分な量だけ、前記ヘッドの直径ｄｈｅａｄを下回る直径ｄｓｅａｌｉｎｇ＿ｓｕｒｆａｃｅを有するようにサイズ決めおよび成形される、請求項１２に記載の締結具。
【請求項１４】
前記軸受表面は、前記シール表面の内部に配置される、請求項１２に記載の締結具。
【請求項１５】
請求項８に記載の締結具と、シールリングとを備えるアセンブリであって、前記シールリングは、前記締結具とは離散した要素である、アセンブリ。
【手続補正２】
【補正対象書類名】明細書
【補正対象項目名】００１７
【補正方法】変更
【補正の内容】
【００１７】
上記で説明される特徴はそれぞれ、分離して、または他の特徴と組み合わせて利点を提供し得るため、これらの特徴のうちのいずれかまたは全てが、別個にまたは相互との任意の組み合わせにおいて使用され得ることが、想定される。
本願明細書は、例えば、以下の項目も提供する。
（項目１）
外径ｏｄｓｅａｌｉｎｇ＿ｒｉｎｇを有するシールリングと併用されるように構成される締結具であって、前記締結具は、
最大径ｄｈｅａｄを有するヘッドと、
ねじ山付きシャフトと、
前記ヘッドと前記ねじ山付きシャフトとの間に配置される凹面形シール表面であって、前記凹面形シール表面は、前記シールリングを受容し、前記シールリングが前記シール表面内に配置されると、前記シールリングの外径ｏｄｓｅａｌｉｎｇ＿ｒｉｎｇを実質的に前記直径ｄｈｅａｄに設置するために十分な量だけ、前記直径ｄｈｅａｄを下回る直径ｄｓｅａｌｉｎｇ＿ｓｕｒｆａｃｅを有するようにサイズ決めおよび成形される、凹面形シール表面と
を備える、締結具。
（項目２）
前記締結具が適用されている物体の表面に接触するように構成される軸受表面をさらに備え、前記軸受表面は、前記シール表面の内部に配置される、項目１に記載の締結具。
（項目３）
前記ヘッド上のフランジをさらに備え、前記フランジは、前記締結具の半径方向に対して少なくとも４５度に角度付けられる、項目１に記載の締結具。
（項目４）
前記フランジは、前記締結具の縦方向に延在し、前記フランジの前記縦方向の長さは、前記締結具のヘッドの長さの少なくとも半分である、項目３に記載の締結具。
（項目５）
前記ヘッドは、ある直径を有する工具受容突出部を備え、前記フランジは、前記工具受容突出部の直径より大きい直径を有する、項目３に記載の締結具。
（項目６）
前記フランジの直径は、前記工具受容突出部の直径の少なくとも２倍である、項目５に記載の締結具。
（項目７）
前記ヘッドは、工具受容突出部を備え、前記工具受容突出部は、内部ソケットを欠いている、項目１に記載の締結具。
（項目８）
前記工具受容突出部は、前記ねじ山付きシャフトの直径に実質的に等しい直径を有する、項目７に記載の締結具。
（項目９）
前記ヘッドと前記ねじ山付きシャフトとの間に配置されるセンタリングパイロットをさらに備え、前記センタリングパイロットは、ねじ山付き孔に対して一貫してセンタリングされた位置に前記締結具を誘導するようにサイズ決めおよび成形される、項目１に記載の締結具。
（項目１０）
項目１に記載の締結具と、前記シールリングとを備えるアセンブリであって、前記シールリングは、前記締結具とは離散した要素である、アセンブリ。
（項目１１）
上端部から下端部まで縦方向に延在する締結具であって、前記締結具は、
前記締結具の上端部に配置されるヘッドであって、前記ヘッドは、最上端部において提供される工具受容突出部と、前記工具受容突出部の下方に配置されるフランジとを有し、前記フランジは、前記工具受容突出部の少なくとも２倍の大きさの直径を有する、ヘッドと、
前記締結具の下端部に配置されるねじ山付きシャフトと
を備える、締結具。
（項目１２）
前記フランジは、前記ヘッドの長さの少なくとも半分である前記縦方向の長さを有する、項目１１に記載の締結具。
（項目１３）
前記フランジは、前記締結具の半径方向に対して少なくとも４５度に角度付けられる、項目１１に記載の締結具。
（項目１４）
前記工具受容突出部は、内部ソケットを欠いている、項目２１に記載の締結具。
（項目１５）
前記工具受容突出部は、前記ねじ山付きシャフトの直径に実質的に等しい直径を有する、項目１１に記載の締結具。
（項目１６）
前記ヘッドと前記ねじ山付きシャフトとの間に配置されるセンタリングパイロットをさらに備え、前記センタリングパイロットは、ねじ山付き孔に対して一貫してセンタリングされた位置に前記締結具を誘導するようにサイズ決めおよび成形される、項目１１に記載の締結具。
（項目１７）
前記フランジと前記ねじ山付きシャフトとの間に配置される凹面形シール表面をさらに備える、項目１１に記載の締結具。
（項目１８）
前記凹面形シール表面は、シールリングを受容し、かつ前記シールリングが前記シール表面内に配置されると、前記シールリングの外径ｏｄｓｅａｌｉｎｇ＿ｒｉｎｇを実質的に直径ｄｈｅａｄに設置するために十分な量だけ、前記ヘッドの直径ｄｈｅａｄを下回る直径ｄｓｅａｌｉｎｇ＿ｓｕｒｆａｃｅを有するようにサイズ決めおよび成形される、項目１７に記載の締結具。
（項目１９）
前記締結具が適用されている物体の表面に接触するように構成される軸受表面をさらに備え、前記軸受表面は、前記シール表面の内部に配置される、項目１７に記載の締結具。
（項目２０）
項目１１に記載の締結具と、前記シールリングとを備えるアセンブリであって、前記シールリングは、前記締結具とは離散した要素である、アセンブリ。